(57)【要約】      （修正有）【課題】携帯性が良く、いつも所持できる防災頭巾を提供する。【解決手段】通常は体操着等を入れる手提げとして使い、災害時に収納袋を手提げから出すと手提げの中身は一まとめに出せる。この収納袋には名札が付いており、後で荷物の回収が効率的に行えるようになっている。中身を全て出した手提げを被り、本体の内側にある紐２本を引っ張ると手提げの持ち手が頭巾本体に密着して固定され、同時に首元の部分が締まり、防災頭巾に変形。引っ張った紐は顎のところで結び、頭巾を頭部に固定する。【選択図】図１
2014083163.tif 000002
【特許請求の範囲】
【請求項１】
手提げ本体が頭部と肩を覆う防災頭巾に変形可能な防災頭巾兼用手提げ。
【請求項２】
手提げ本体が右側面、背面、上面、下面を有する矩形上であり、下面
及び背面の一部がファスナーにより開閉自在となっている請求項１記
載の防災頭巾兼用手提げ。
【請求項３】
カバン本体内部に名札付きの収納袋が有り、変形前に荷物を
一括して出すのが容易で、出した荷物の持ち主が名札ですぐ特
定できることを特徴とする請求項１記載の防災頭巾兼用手提げ。
【請求項４】
手提げ本体内部に左右の持ち手の紐を全て収納して持ち手を
手提げ本体に密着して固定し、同時に頭巾の首周りを締めて防
災頭巾に変形するための紐を左右に備えたことを特徴とする請
求項１記載の防災頭巾兼用手提げ。
【請求項５】
手提げ本体が衝撃防止可能な布またはウレタンよりなることを
特徴とする請求項１記載の防災頭巾兼用手提げ。
【発明の詳細な説明】
【技術分野】
【０００１】
本発明は、生活必要品の分野に属し、詳しくは手提げと防災関連の
技術に関する。
【背景技術】
【０００２】
普段は手提げとして機能するものを災害時は防災頭巾として使用できる
防災頭巾は、実開平５−４３９１９号公報（特許文献１）や実開昭６１−１６７８
２３号公報（特許文献２）に提案されているが、何れも着用時に頭部への
衝撃に耐えるだけのものがなく、安全面に欠けるものである。
特許公開２００７−８２８８４（特許文献３）の場合だと手提げから防災頭巾
に形態を変える手順が複雑である。
緊急地震速報が来ても形態を変える時間が足りず、もっとも使用が考え
られる子供や老人が手順を憶えられないし、構造も複雑で製作コストも
かかり過ぎる。
また、いづれも荷物を全て出すのに時間がかかり、貴重品があっても床や
地面に撒き散らすのでは 災害収束後や災害対策訓練後の荷物の回収及
び荷物の持ち主の特定が困難である。
【先行技術文献】
【特許文献】
【０００３】
【特許文献１】実開平５−４３９１９号公報
【特許文献２】実開昭６１−１６７８２３号公報
【特許文献３】特許公開２００７−８２８８４
【発明の概要】
【発明が解決しようとする課題】
【０００４】
「課題１」・・・他の防災頭巾兼手提げは、どれも手提げを頭巾に変える前に、中の
荷物を床や地面に撒いてしまい、災害収束後または避難訓練終了後
に荷物の回収や持ち主を特定するのが困難。
そもそも緊急事態ならばゆっくり荷物を出したり、出した荷物を運ぶ
ような余裕などない。
「課題２」・・・他の防災頭巾兼手提げは、どれも手提げから防災頭巾形態に変え
るまで時間がかかり、緊急地震速報を受けても間に合わない。
「課題３」・・・他の防災頭巾兼手提げは、どれも変形方法が複雑で憶えにくい。
緊急事態ならば気が動転して手順を忘れやすいし、子供や老人でも
使えなくては意味がない。
【課題を解決するための手段】
【０００５】
「課題１」の解決策として、手提げ内部にチャック付きの薄いナイロン生地または網
でできた収納袋を入れておき、この袋に荷物を入れることで荷物が散乱するのを防
ぎ、名札を袋に付けることで持ち主が特定できるようにした。
また収納袋は固定せず、すぐに収納袋を出すことができるようにした。
「課題２」及び「課題３」の解決策として、チャックを開けて手提げを頭に被ってから
手提げの内側にある紐２本を引くだけで防災頭巾に変形できるように単純化して
解決した。
【発明の効果】
【０００６】
本発明の手提げは、左右に持ち手のある大きな手提げである。全体が
厚い防護体（フェルトやスポンジ等）で構成されるだけでその構造も簡易
であり、チャックを限界まで開いて防護体を頭部に被ってから、内部にある
左右の紐の先端に付いたリングに指を通し、紐を左右同時に引くだけで
防災頭巾に変形することができるため、瞬時に頭部を安全に防護できる。
したがって、普段は幼稚園や小中学校の体操着入れや様々な物品を入
れる手提げとして使用でき、突発的な地震等に遭遇した場合は、瞬時に
防災頭巾として頭部を保護できる効果がある。
【図面の簡単な説明】
【０００７】
【図１】本発明の防災頭巾兼用体操着入れの展開説明図
【図２】本発明の防災頭巾兼用体操着入れの全体図（上面・下面・右側面・背面の呼称は頭巾時）
【図３】頭巾内部の紐（左側）の動きの説明図
【図４】頭巾内部の紐（右側）の動きの説明図
【発明を実施するための形態】
【０００８】
本発明の防災頭巾兼用手提げを実施例により説明すると、図２に示すように
左右対称に設けられる収納部が大なる袋で、その内部に内部の容積とほぼ
同じ容積の収納袋が入っており、上部中央に持ち手が左右ある手提げが形
成される。
この手提げの片側全部から下部の半ばまでのファスナーを歯合することに
より手提げとすることができる。
次に防災頭巾兼用手提げとする実施例を説明すると、手提げの片側全部
から下部の半ばまでのファスナーの歯合を解くことにより収納袋が落ちる
（図１-１及び図１-２参照）。
大きく開放された手提げを頭に被って内部左右にある紐の先端にあるリン
グ状の金具に指を１本通し勢いよく同時に引く。
（図１-３参照）
図３のように左側の紐を引くと左側の持ち手の紐が内部に引き込まれて
持ち手が頭巾正面に密着する。同時に頭巾中央を貫通する紐も短くなり
頭巾中央が締まり、頭巾が頭部両側面に密着する。
図４のように右側の紐を引くと右側の持ち手の紐が内部に引き込まれて
持ち手が頭巾正面に密着する。
図１-４のようにリングの先端に付いた紐を顎下で結べば、頭巾が頭部に
しっかり固定される。（図１-４参照）
手提げ形態に戻すには、顎下の結びを解き、左右の持ち手を引くことで持
ち手の紐が元の長さになる。
手提げの片側全部から下部の半ばまでのファスナーを歯合することにより、
手提げに戻すことができる。
最後に回収した収納袋を中に入れる。
【実施例】
【０００９】
［１.］ファスナーを限界まで開く（図１-１参照）
［２.］荷物が入った収納袋を出す。（図１-２参照）
［３.］手提げを頭に被り、左右両方の頭巾の金具に人差し指を入れてから
左右同時に引く。（図１-３参照）
「左側内部の紐の動き詳細」（図３参照）
ア.Ａの紐を矢印の方向に引く
イ.「持ち手」が付いたＢの紐は矢印方向に動き、「持ち手」は手提げ
の上部に密着されて固定される。
ウ.同時に頭巾の首周りに内臓されたＣの紐が動き、首周りを締めて
頭部と頭巾を密着させる。
「右側内部の紐の動き詳細」（図４参照）
ア.Ａの紐を矢印の方向に引く
イ.「持ち手」が付いたＢの紐は矢印方向に動き、「持ち手」は手提げの
上部に密着されて固定される。
［４.］伸びた紐を顎紐として結べば頭巾が頭部にしっかりと固定される。
（図１-４参照）
【産業上の利用可能性】
【００１０】
本発明によれば、普段は手提げとして手持品の分野で利用され、地震
などの災害時には防災頭巾として人命救助の分野で利用できるからそ
の需要は期待できるので、縫製業分野と防災関連産業と衝撃吸収材等
の合成樹脂産業が刺激される。
【符号の説明】
【００１１】
Ａ：リング状金具付き紐
Ｂ：持ち手の紐
Ｃ：頭巾背面部締め付け紐
【図１】
2014083163.tif 000003
【図２】
2014083163.tif 000004
【図３】
2014083163.tif 000005
【図４】
2014083163.tif 000006